(57)【特許請求の範囲】
【請求項１】
人物から読み取られた生体情報と予め記憶された生体情報との類似度を判定する判定手段と、
前記判定手段により判定された類似度が、認証の成否を判定するための認証閾値よりも高く、録画するか否かを判定するための録画閾値よりも低い場合、前記類似度に対応する生体情報が読み取られた人物を含む撮影画像の録画を行う制御手段と
を有することを特徴とする撮影処理システム。
【請求項２】
前記制御手段は、
第１の人物から読み取られた第１の生体情報に基づく第１の類似度と、第２の人物から読み取られた第２の生体情報に基づく第２の類似度とのうち、少なくともいずれかが前記認証閾値と前記録画閾値の間である場合、前記録画を行う
ことを特徴とする請求項１記載の撮影処理システム。
【請求項３】
前記制御手段は、
前記判定手段により判定された類似度に応じて、前記録画時のフレームレートと画質のうち少なくともいずれかを変更する
ことを特徴とする請求項１又は２記載の撮影処理システム。
【請求項４】
前記制御手段は、
前記判定手段により判定された類似度に応じて、当該類似度が判定されてからの録画時間を決定する
ことを特徴とする請求項１又は２記載の撮影処理システム。
【請求項５】
撮影処理システムの制御方法であって、
判定手段が、人物から読み取られた生体情報と予め記憶された生体情報との類似度を判定する判定工程と、
制御手段が、前記判定工程で判定された類似度が、認証の成否を判定するための認証閾値よりも高く、録画するか否かを判定するための録画閾値よりも低い場合、前記類似度に対応する生体情報が読み取られた人物を含む撮影画像の録画を行う制御工程と
を有することを特徴とする撮影処理システムの制御方法。
【請求項６】
前記制御工程では、
第１の人物から読み取られた第１の生体情報に基づく第１の類似度と、第２の人物から読み取られた第２の生体情報に基づく第２の類似度とのうち、少なくともいずれかが前記認証閾値と前記録画閾値の間である場合、前記録画を行う
ことを特徴とする請求項５記載の撮影処理システムの制御方法。
【請求項７】
コンピュータを、
人物から読み取られた生体情報と予め記憶された生体情報との類似度を判定する判定手段と、
前記判定手段により判定された類似度が、認証の成否を判定するための認証閾値よりも高く、録画するか否かを判定するための録画閾値よりも低い場合、前記類似度に対応する生体情報が読み取られた人物を含む撮影画像の録画を行う制御手段、
として機能させるためのプログラム。
【請求項８】
前記制御手段は、
第１の人物から読み取られた第１の生体情報に基づく第１の類似度と、第２の人物から読み取られた第２の生体情報に基づく第２の類似度とのうち、少なくともいずれかが前記認証閾値と前記録画閾値の間である場合、前記録画を行う
ことを特徴とする請求項７記載のプログラム。
【請求項９】
人物から読み取られた生体情報と予め記憶された生体情報との類似度を判定する判定手段と、
前記判定手段により判定された類似度が、認証の成否を判定するための認証閾値よりも高く、録画するか否かを判定するための録画閾値よりも低い場合、前記類似度に対応する生体情報が読み取られた人物を含む撮影画像の録画を行う制御手段と
を有することを特徴とする管理サーバ。
【請求項１０】
前記制御手段は、
第１の人物から読み取られた第１の生体情報に基づく第１の類似度と、第２の人物から読み取られた第２の生体情報に基づく第２の類似度とのうち、少なくともいずれかが前記認証閾値と前記録画閾値の間である場合、前記録画を行う
ことを特徴とする請求項９記載の管理サーバ。
【発明の詳細な説明】
【技術分野】
【０００１】
本発明は、撮像装置による撮影処理を制御する技術に関する。
【背景技術】
【０００２】
従来、撮像装置が設置されている建物や部屋などにおいては、撮影対象者（例えば、不審人物など）を決定し、撮像装置により追跡撮影する技術が提案されている。
【０００３】
このような技術に関しては、例えば、監視員等の人物が追跡する人物を特定し、複数の撮像装置が連携して特定された人物を追跡する方法が知られている（特許文献１参照）。また、撮像装置の台数と撮影対象者の関係が変わった場合に、撮像装置を撮影対象者に順次割り当てる方法が知られている（特許文献２参照）。
【先行技術文献】
【特許文献】
【０００４】
【特許文献１】特開平６−３２５１８０号公報
【特許文献２】特開２００７−６７９６３号公報
【発明の概要】
【発明が解決しようとする課題】
【０００５】
一般に、生体認証においては、生体認証装置で読み取られた生体情報とテンプレート（事前に登録された真正の生体情報）とを照合して算出された類似度と、事前に設定された閾値との比較によって認証の合否が決定される。
【０００６】
図９は、類似度の正規化頻度分布を示した図である。横軸は類似度、縦軸は頻度である。類似度は右にいくほど大きく、比較する二つの生体情報が一致する度合いが大きいことを意味する。類似度が閾値以上であった場合は一致、それ以外は不一致と判定することで認証の合否が決定される。
【０００７】
生体認証では、ＦＲＲ（本人拒否率：False Rejection Rate）と、ＦＡＲ（他人受入率：False Acceptance Rate）とがトレードオフに変化する。ＦＲＲは、照合した人物を他人であると誤り、拒否する確率であり、ＦＡＲは、照合した人物を本人であると誤り、受け入れる確率である。
【０００８】
ＦＲＲとＦＡＲの比率は、閾値の設定によって決定される。閾値を小さな値にすると、本人を誤って拒否するＦＲＲは低くなるが、他人を誤認証で受け入れるＦＡＲが高くなってしまう。逆に、閾値を大きな値にすると、他人を誤認証で受け入れるＦＡＲは低くなるが、本人を誤って拒否するＦＲＲは大きくなってしまう。特にセキュリティが重視される建物や部屋においては、ＦＡＲによる誤認証で入室した人物を監視し、セキュリティを向上させる必要がある。
【０００９】
ところで、特許文献１に記載されている方法では、特定された人物が本来追跡すべき人物であるか否かの判断を監視員が行なうため、監視員は、建物や部屋の利用者や状況を熟知していなければならない。この場合、監視員の負担が大きい。また、監視員が正しい判断を下せない可能性もある。
【００１０】
また、特許文献２に記載されている方法では、撮像装置が撮影対象者に順次割り当てられるため、撮影中の人物が本来追跡すべき人物である場合であっても、撮像装置が別の人物に割り当てられてしまう可能性があり、特定人物の追跡には不向きである。
【００１１】
また、セキュリティが重視される建物や部屋では、撮像装置により撮影した映像を録画しておけば監視の強化を図れることになるが、常時録画を実行していると撮影データが膨大に蓄積されてしまう。そのため、必要な時だけ自動的に録画する仕組みが必要とされる。
【００１２】
そこで、本発明は、上記実情に鑑みてなされたものであり、生体認証により算出される類似度に応じて撮像装置による撮影処理を制御し、セキュリティを向上させるようにした撮影処理システム及び方法、管理装置及びプログラムを提供することを目的とする。
【課題を解決するための手段】
【００１３】
上記目的を達成するため、本発明の一態様による撮影処理システムは、人物から読み取られた生体情報と予め記憶された生体情報との類似度を判定する判定手段と、前記判定手段により判定された類似度が、認証の成否を判定するための認証閾値よりも高く、録画するか否かを判定するための録画閾値よりも低い場合、前記類似度に対応する生体情報が読み取られた人物を含む撮影画像の録画を行う制御手段と、を有することを特徴とする。
【発明の効果】
【００１４】
本発明によれば、生体認証の認証精度を撮像装置による撮影処理で補えるため、セキュリティを向上させられる。また、監視員の負担軽減も図れる。
【図面の簡単な説明】
【００１５】
【図１】本発明の一実施の形態に係わる撮影処理システムの全体構成の一例を示す図である。
【図２】図１に示す撮影処理システムにおいて撮影対象者が変更された場合の態様の一例を示す図である。
【図３】コンピュータの構成の一例を示す図である。
【図４】図１に示す撮影処理システムの各装置における機能的な構成の一例を示す図である。
【図５】図１に示す撮影処理システムにおける動作の流れの一例を示すフローチャートである。
【図６】実施形態２に係わる撮影処理システムの全体構成の一例を示す図である。
【図７】実施形態２に係わる撮影処理システムの各装置における機能的な構成の一例を示す図である。
【図８】実施形態２に係わる撮影処理システムにおける動作の流れの一例を示すフローチャートである。
【図９】生体認証における本人拒否率と他人受入率との関係を示す図である。
【発明を実施するための形態】
【００１６】
以下、本発明に係わる撮影処理システム及び方法、管理装置及びプログラムの一実施の形態について添付図面を参照して詳細に説明する。
【００１７】
（実施形態１）
図１は、本発明の一実施の形態に係わる撮影処理システムの全体構成の一例を示す図である。
【００１８】
部屋１０１には、生体認証装置１０３、電子錠付き扉１０４、撮像装置１０５〜１０７、管理サーバ１０８、録画サーバ１０９、映像ＤＢ１１０等がＬＡＮ（Lacal Area Network）などのネットワーク１０２を介して接続されている。
【００１９】
なお、管理サーバ１０８や録画サーバ１０９、映像ＤＢ（Database）１１０は、通信可能に接続されていればよく、部屋１０１の内外いずれに設置されていてもよい。また、装置各々は、通信できる状態であればよく、必ずしもネットワーク１０２を用いて通信を行なう必要はない。
【００２０】
撮像装置１０５〜１０７は、部屋１０１に入室した人物を撮影する。撮像装置１０５〜１０７では、撮像装置一台につき一人を撮影する。なお、本実施形態においては、撮像装置が三台設置される場合を例に挙げて説明するが、撮像装置の設置台数は一台であってもよいし、またそれ以外の台数であってもよい。
【００２１】
生体認証装置１０３は、部屋１０１への入室に際して、当該入室する人物の生体情報を読み取り、認証を行なう。実際の認証は、管理サーバ１０８で行なわれるため、生体認証装置１０３では、読み取った生体情報を管理サーバ１０８へ送信することになる。なお、生体認証装置１０３で認証を行なうように構成してもかまわない。
【００２２】
管理サーバ１０８は、生体認証装置１０３や電子錠付き扉１０４、撮像装置１０５〜１０７、録画サーバ１０９等を管理並びに制御する。なお、管理並びに制御の対象となる装置に応じて管理サーバを複数設けてもよい。
【００２３】
電子錠付き扉１０４は、通常、施錠状態にある。電子錠付き扉１０４による施錠は、認証に成功した場合に解除される。なお、電子錠付き扉１０４による施錠の解除は、認証成功を受けた管理サーバ１０８からの制御に基づき行なわれる。
【００２４】
録画サーバ１０９は、撮像装置１０５〜１０７により撮像された撮影データを映像ＤＢを用いて蓄積する制御を行なう。なお、録画サーバ１０９による録画は、管理サーバ１０８からの制御に基づき行なわれる。
【００２５】
部屋１０１には、人物Ａ、人物Ｂ、人物Ｃ、人物Ｄが入室している。認証時に算出された類似度は、人物Ａが「Ｖａｌｕｅ Ａ」、人物Ｂが「Ｖａｌｕｅ Ｂ」、人物Ｃが「Ｖａｌｕｅ Ｃ」、人物Ｄが「Ｖａｌｕｅ Ｄ」となる。これら類似度は、「Ｖａｌｕｅ Ａ」＜「Ｖａｌｕｅ Ｂ」＜「Ｖａｌｕｅ Ｃ」＜「Ｖａｌｕｅ Ｄ」の関係を有する。すなわち、人物Ｄの類似度が最も高く、人物Ａの類似度が最も低い。なお、類似度は、入室時の認証に際して読み取られた生体情報と、テンプレート情報（事前に登録された当該人物の真正の生体情報）との照合結果に基づき算出される。
【００２６】
撮像装置１０５〜１０７では、この類似度が低い人物を優先的に撮影対象者として追跡撮影する。これは、誤認識により認証成功となった蓋然性の高い人物を重点的に監視するためである。ここで、本実施形態においては、撮像装置が３台設置され、かつ撮像装置一台につき一人を追跡するため、人物Ａ、人物Ｂ、人物Ｃが撮影対象者となる。具体的には、撮像装置１０５が人物Ａを、撮像装置１０６が人物Ｂを、撮像装置１０７が人物Ｃを追跡撮影する。撮像装置各々は、撮影対象者の位置に応じて自動的に切り替わり撮影する。
【００２７】
さて、人物Ｅが部屋１０１に入室するため認証を行なうとする。ここで、人物Ｅが生体認証装置１０３において、指紋や角膜等をかざし認証を行なうと、人物Ｅの生体情報が読み取られ、その生体情報とテンプレート情報とを用いた認証が行なわれる。
【００２８】
この生体情報とテンプレート情報との類似度が所定の閾値（以下、認証閾値と言う）を越えていれば、認証成功となる。そうでなければ認証失敗となる。認証に成功した場合、撮影対象者数（既に撮影対象となっている人数）が、撮影対象上限数（撮影対象者の上限数）に達していなければ、人物Ｅはそのまま撮影対象者となる。撮影対象上限数に既に達していれば、算出された類似度「Ｖａｌｕｅ Ｅ」によって人物Ｅが追跡撮影の対象者となるか否かが決定される。なお、本実施形態では、撮影対象上限数に「３」が設定されているものとする。
【００２９】
この場合、既に人物Ａ、人物Ｂ、人物Ｃが撮影対象者となり、撮影対象者数が撮影対象上限数の「３」を満たしている。そのため、人物Ｅが撮影対象者となるには、既存の撮影対象者の中で最も類似度の高い人物の類似度よりも、人物Ｅの類似度が低い場合となる。すなわち、既に撮影対象者となっている人物の内、最も高い人物Ｃの類似度「Ｖａｌｕｅ Ｃ」よりも人物Ｅの類似度「Ｖａｌｕｅ Ｅ」が低ければ、人物Ｅは人物Ｃに代わって撮影対象者となる。本実施形態においては、「Ｖａｌｕｅ Ｃ」と「Ｖａｌｕｅ Ｅ」とが、「Ｖａｌｕｅ Ｅ」＜「Ｖａｌｕｅ Ｃ」の関係を有するとする。
【００３０】
類似度の比較の結果、人物Ｅが撮影対象者となり、人物Ｃは撮影対象者から外される。具体的には、図２に示すように、撮影対象者が人物Ａ、人物Ｂ、人物Ｃから人物Ａ、人物Ｂ、人物Ｅに変更される。その後、新たに人物が入室する都度、上記処理が繰り返し実施される。
【００３１】
以上が、撮影処理システムの全体構成の一例についての説明である。なお、上記説明した、生体認証装置１０３、管理サーバ１０８、録画サーバ１０９等には、例えば、図３に示すコンピュータが組み込まれている。コンピュータには、ＣＰＵ等の主制御部２１、ＲＯＭ(Read Only Memory)、ＲＡＭ(Random Access Memory)、ＨＤＤ（Hard Disk Drive）等の記憶部２２が具備される。また、コンピュータにはその他、キーボード、マウス、ディスプレイ又はタッチパネル等の入出力部２３、ネットワークカード等の通信部２４等も具備される。なお、これら各構成部は、バス２５等により接続され、主制御部２１が記憶部２２に記憶されたプログラム（例えば、撮影制御プログラム）を実行することで制御される。
【００３２】
ここで、図４を用いて、図１に示す撮影処理システムの各装置における機能的な構成の一例について説明する。
【００３３】
生体認証装置１０３には、生体情報読取部３１が具備される。生体情報読取部３１は、認証対象となる人物の生体情報を読み取り、当該読み取った生体情報を管理サーバ１０８に向けて送信する。
【００３４】
管理サーバ１０８は、テンプレート保持部８１と、類似度算出部８２と、認証部８３と、撮影対象者決定部８４と、撮像制御部８５とを具備して構成される。
【００３５】
テンプレート保持部８１は、事前に登録された（真正の）生体情報をテンプレート情報として保持する。類似度算出部８２は、生体認証装置１０３で読み取られた生体情報と、テンプレート保持部８１に保持されたテンプレート情報とを照合させ、その類似度を算出する。
【００３６】
認証部８３は、認証対象となる人物から読み取られた生体情報に基づき認証を行なう。認証部８３による認証では、例えば、類似度算出部８２により算出された類似度が、事前に設定された認証閾値よりも高ければ、認証成功となる。
【００３７】
撮影対象者決定部８４は、撮像装置１０５〜１０７による追跡撮影の対象者となる人物を選び、該当人物を撮影対象者に決定する。撮影対象者決定部８４による撮影対象者の決定は、類似度算出部８２により算出された類似度と認証閾値とに基づき行なわれる。ただし、撮影対象者が撮影対象上限数に達していない場合にはこの限りではない。
【００３８】
撮像制御部８５は、撮像装置１０５〜１０７による撮影を制御する。撮像制御部８５では、例えば、撮像装置１０５〜１０７を制御して、撮影対象者決定部８４により決定された撮影対象者を追跡撮影する。
【００３９】
以上が、撮影処理システムの各装置における機能的な構成についての説明である。なお、生体認証装置１０３、管理サーバ１０８の機能的な構成について説明したが、これら各装置に設けられた機能的な構成は、必ずしも図示した通りに実現される必要はなく、システム内におけるいずれかの装置にその全部若しくは一部が実現されていればよい。例えば、図４の説明では、生体認証装置１０３においては生体情報を読み取るだけで、実際の認証を管理サーバ１０８側で行なう構成となっていたが、認証自体を生体認証装置１０３で行なうようにしてもよい。その場合、テンプレート保持部８１、類似度算出部８２、認証部８３等は、生体認証装置１０３内に実現されることになる。
【００４０】
次に、図５を用いて、図１に示す撮影処理システムにおける動作の流れについて説明する。なお、ここでは、部屋１０１へ入室する人物の認証並びにその撮影を行なう場合の動作の流れを示す。
【００４１】
この処理は、生体認証装置１０３において指紋や角膜等の生体情報がかざされると開始される。この処理が開始されると、まず、生体認証装置１０３の生体情報読取部３１において、入室希望者から生体情報が読み取られ（ステップＳ１０１）、当該読み取られた生体情報が管理サーバ１０８に送られる。
【００４２】
これを受けた管理サーバ１０８は、類似度算出部８２において、当該生体情報と、テンプレート保持部８１に保持されたテンプレート情報とを照合させ（ステップＳ１０２）、その類似度を算出する（ステップＳ１０３）。そして、認証部８３において、当該算出された類似度と、事前に設定された認証閾値とが比較される。
【００４３】
この結果、類似度が閾値以上となれば（ステップＳ１０４でＹＥＳ）、認証成功となり、ステップＳ１０６に進む。類似度が閾値に達していなければ（ステップＳ１０４でＮＯ）、他のテンプレートがあるか否かが判断される。他のテンプレートがあれば（ステップＳ１０５でＹＥＳ）、再度、ステップＳ１０２の処理が実施され、他のテンプレートがなければ（ステップＳ１０５でＮＯ）、再度、Ｓ１０１の処理が実施される。
【００４４】
さて、認証に成功すると、撮影対象者決定部８４において、当該認証処理で算出された類似度に基づき当該入室者が追跡撮影の対象者となるか否かの判断がなされ、撮影対象者が決定される。この処理ではまず、追跡対象上限数が現在の撮影対象者数より大きいか否かが判断される。追跡対象上限数が撮影対象者数より大きい場合（ステップＳ１０６でＹＥＳ）、当該入室者は撮影対象者として決定される（ステップＳ１０８）。そうでない場合には（ステップＳ１０６でＮＯ）、既に撮影対象者となっている人物の中で最も高い類似度と、入室者の類似度とが比較される。
【００４５】
比較の結果、入室者の類似度が、既に撮影対象者となっている人物の中で最も高い類似度よりも低い場合は（ステップＳ１０７でＹＥＳ）、当該人物の中で最も高い類似度の人物に代えて、入室者が撮影対象者として決定される（ステップＳ１０８）。
【００４６】
一方、入室者の類似度が、既に撮影対象者となっている人物の中で最も高い類似度よりも高い場合には（ステップＳ１０７でＮＯ）、当該入室者は撮影対象者にならず、撮影対象者はそのままの状態となる。このようにして撮影対象者が決定されると、撮像制御部８５により各撮像装置１０５〜１０７が制御され、当該撮影対象者が追跡撮影される（ステップＳ１０９）。なお、新たな入室者が現れ、認証が行なわれた場合には、再度ステップＳ１０１から順番に上述した処理が実施されることになる。
【００４７】
以上が、実施形態１についての説明である。なお、実施形態１においては、撮像装置１０５〜１０７により撮影された撮影データを録画するか否かについては特に言及していないが、いずれであってもよい。録画を行なう場合には、例えば、管理サーバ１０８から録画サーバ１０９に向けて、撮像装置１０５〜１０７により撮像された撮影データとともに、録画指示等が送られ録画がなされる。
【００４８】
（実施形態２）
次に、実施形態２について説明する。図６は、実施形態２に係わる撮影処理システムの全体構成の一例を示す図である。なお、実施形態１における図１と同一符号のものは、同一であるため、説明を省略する場合もある。
【００４９】
部屋１０１には、生体認証装置１０３、電子錠付き扉１０４、撮像装置４０１、管理サーバ１０８、録画サーバ１０９、映像ＤＢ（Database）１１０等がＬＡＮ（Lacal Area Network）などのネットワーク１０２を介して接続されている。
【００５０】
なお、実施形態１同様に、管理サーバ１０８や録画サーバ１０９、映像ＤＢ１１０は、通信可能に接続されていればよく、部屋１０１の内外いずれに設置されていてもよい。また、接続形態も特に問わない。
【００５１】
撮像装置４０１は、魚眼レンズが搭載されており、撮像装置一台で複数の人物を撮影することができる。なお、本実施形態においては、魚眼レンズを搭載した撮像装置が一台だけ設置される場合を例に挙げて説明するが、撮像装置４０１は複数台設定されていてもよい。
【００５２】
部屋１０１には、人物Ａ、人物Ｂ、人物Ｃが入室している。認証時に算出された類似度は、人物Ａが「Ｖａｌｕｅ Ａ」、人物Ｂが「Ｖａｌｕｅ Ｂ」、人物Ｃが「Ｖａｌｕｅ Ｃ」となる。これら類似度は、「Ｖａｌｕｅ Ａ」＜「Ｖａｌｕｅ Ｂ」＜「Ｖａｌｕｅ Ｃ」＜「Ｖａｌｕｅ Ｄ」の関係を有する。すなわち、人物Ｄの類似度が最も高く、人物Ａの類似度が最も低い。なお、類似度は、上述した通り、入室時の認証に際して読み取られた生体情報と、テンプレート情報との照合結果に基づき算出される。
【００５３】
ここで、本実施形態においては、この算出された類似度に応じて録画の有無が変更される。具体的には、認証時の類似度と、事前に登録された閾値（以下、録画閾値と言う）とを比較し、類似度が当該録画閾値よりも小さい場合に録画を実行し、そうでない場合には録画が行なわれない。本実施形態においては、録画閾値を「Ｖａｌｕｅ Ｎ」とする。例えば、類似度と録画閾値とが、「Ｖａｌｕｅ Ｎ」＜「Ｖａｌｕｅ Ａ」＜「Ｖａｌｕｅ Ｂ」＜「Ｖａｌｕｅ Ｃ」の関係を有するとした場合、当該録画閾値よりも類似度の低い人物が存在しないため、録画処理は実行されていないことになる。
【００５４】
さて、人物Ｄが部屋１０１に入室するため認証を行なうとする。ここで、人物Ｄが生体認証装置１０３において、指紋や角膜等をかざし認証を行なうと、人物Ｄの生体情報が読み取られ、その生体情報とテンプレート情報とを用いた認証が行なわれる。この生体情報とテンプレート情報との類似度が認証閾値を越えていれば、認証成功となる。そうでなければ認証失敗となる。認証に成功した場合、算出された類似度「Ｖａｌｕｅ Ｄ」によって人物Ｄが録画の対象となるか否かが判断される。
【００５５】
類似度が録画閾値よりも低ければ、録画が実行され、録画サーバ１０９により映像ＤＢ１１０に撮影データが蓄積される。その際、録画に際して設定された画質、フレームレートにより録画が実行される。例えば、類似度が「Ｖａｌｕｅ Ｄ」＜「Ｖａｌｕｅ Ｎ」の関係であれば、人物Ｄは追跡撮影され、録画が実施されることになる。
【００５６】
ここで、図７を用いて、実施形態２に係わる撮影処理システムの各装置における機能的な構成の一例について説明する。なお、実施形態１における図４と同一符号のものは、同一であるため、説明を省略する場合もある。
【００５７】
管理サーバ１０８は、テンプレート保持部８１と、類似度算出部８２と、認証部８３と、撮像制御部８５と、録画判断部８６とを具備して構成される。すなわち、実施形態１における図４の構成から撮影対象者決定部８４が除かれ、録画判断部８６が新たに追加されている。
【００５８】
録画判断部８６は、撮像装置１０５〜１０７により撮影された撮影データを録画するか否かの判断を行なう。すなわち、録画判断部８６における判断結果に基づき録画サーバ１０９による録画の有無が決定される。なお、録画判断部８６による録画有無の判断は、類似度算出部８２により算出された類似度と録画類似度とに基づき行なわれる。
【００５９】
以上が、実施形態２に係わる撮影処理システムの各装置における機能的な構成についての説明である。なお、生体認証装置１０３、管理サーバ１０８の機能的な構成について説明したが、これら各装置に設けられた機能的な構成は、必ずしも図示した通りに実現される必要はなく、システム内におけるいずれかの装置にその全部若しくは一部が実現されていればよい。実施形態１で説明した通り、例えば、テンプレート保持部８１、認証部８３、類似度算出部８２等を、生体認証装置１０３内に実現するようにしてもよい。
【００６０】
次に、図８を用いて、実施形態２に係わる撮影処理システムにおける動作の流れについて説明する。なお、ここでは、部屋１０１へ入室する人物の認証並びにその撮影を行なう場合の動作の流れを示す。
【００６１】
この処理が開始されるとまず、管理サーバ１０８は、録画閾値、画質、フレームレートを設定する。そして、入室希望者により指紋や角膜等の生体情報が生体認証装置１０３にかざされると、生体認証装置１０３の生体情報読取部３１において、入室希望者から生体情報が読み取られ（ステップＳ２０２）、当該読み取られた生体情報が管理サーバ１０８に送られる。
【００６２】
これを受けた管理サーバ１０８は、類似度算出部８２において、当該生体情報と、テンプレート保持部８１に保持されたテンプレート情報とを照合させ（ステップＳ２０３）、その類似度を算出する（ステップＳ２０４）。そして、認証部８３において、当該算出された類似度と、事前に設定された認証閾値とが比較される。
【００６３】
この結果、類似度が閾値以上となれば（ステップＳ２０５でＹＥＳ）、認証成功となり、ステップＳ２０６に進む。類似度が閾値に達していなければ（ステップＳ２０５でＮＯ）、他のテンプレートがあるか否かが判断される。他のテンプレートがあれば（ステップＳ２０６でＹＥＳ）、再度、ステップＳ２０３の処理が実施され、他のテンプレートがなければ（ステップＳ２０６でＮＯ）、再度、Ｓ２０２の処理が実施される。
【００６４】
さて、認証に成功すると、録画判断部８６において、当該認証処理で算出された類似度に基づき当該入室者が録画の対象者となるか否かの判断がなされる。この処理では、ステップＳ２０１で設定された録画閾値と、ステップＳ２０４で算出された類似度とが比較される。類似度が録画閾値より小さい場合（ステップＳ２０７でＹＥＳ）、撮像装置４０１により撮像された映像が録画サーバ１０９に録画される（ステップＳ２０８）。このとき、撮影データは、ステップＳ２０１で設定された画質、フレームレートで録画される。
【００６５】
一方、類似度が録画閾値以上となる場合には（ステップＳ２０７でＮＯ）、当該入室者に対する録画は行なわれず、そのままこの処理を終了する。なお、撮影データの画質やフレームレートの調整は、撮像装置４０１側で当該情報に基づく撮影を行なことで調整するようにしてもよいし、録画サーバ１０９側で撮影データを当該情報に基づき処理して調整するようにしてもよい。前者の場合には、管理サーバ１０８から撮像装置４０１に向けて画質、フレームレートが送信され、後者の場合には、管理サーバ１０８から録画サーバ１０９に向けて画質、フレームレートが送信されることになる。
【００６６】
以上が、実施形態２についての説明である。なお、実施形態１における撮像装置に魚眼レンズを搭載するようにしてもよい。
【００６７】
また、実施形態２においては、撮影データの画質、フレームレートが始めに設定され、一定となっていたが、これに限られない。入室者の類似度に応じて撮影データの画質やフレームレート、また録画時間等の少なくとも１つを変更させるようにしてもよい。例えば、類似度が低い程、画質やフレームレートを高くし、また録画時間を長くする等の制御を行なう。
【００６８】
以上が本発明の代表的な実施形態の一例であるが、本発明は、上記及び図面に示す実施形態に限定することなく、その要旨を変更しない範囲内で適宜変形して実施できるものである。
【００６９】
なお、本発明は、例えば、システム、装置、方法、プログラム若しくは記録媒体等としての実施態様を採ることもできる。具体的には、複数の機器から構成されるシステムに適用してもよいし、また、一つの機器からなる装置に適用してもよい。
【００７０】
また、本発明は、ソフトウェアのプログラムをシステム或いは装置に直接或いは遠隔から供給し、そのシステム或いは装置に内蔵されたコンピュータが該供給されたプログラムコードを読み出して実行することにより実施形態の機能が達成される場合をも含む。
【００７１】
したがって、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳ（Operating System）に供給するスクリプトデータ等の形態であってもよい。
【００７２】
コンピュータプログラムを供給するためのコンピュータ読み取り可能な記録媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００７３】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７４】
また、本発明のプログラムを暗号化してＣＤ−ＲＯＭ等の記録媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【００７５】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部又は全部を行ない、その処理によって前述した実施形態の機能が実現される。
【００７６】
更に、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵ(Central Processing Unit)などが実際の処理の一部又は全部を行なう。
【符号の説明】
【００７７】
２１    主制御部
２２    記憶部
２３    入出力部
２４    通信部
２５    バス
３１    生体情報読取部
８１    テンプレート保持部
８２    類似度算出部
８３    認証部
８４    撮影対象者決定部
８５    撮像制御部
８６    録画判断部
１０１    部屋
１０２    ネットワーク
１０３    生体認証装置
１０４    電子錠付き扉
１０５、１０６、１０７、４０１    撮像装置
１０８    管理サーバ
１０９    録画サーバ
１１０    映像ＤＢ
【図１】
0005306505.tif 000002
【図２】
0005306505.tif 000003
【図３】
0005306505.tif 000004
【図４】
0005306505.tif 000005
【図５】
0005306505.tif 000006
【図６】
0005306505.tif 000007
【図７】
0005306505.tif 000008
【図８】
0005306505.tif 000009
【図９】
0005306505.tif 000010